(57)【要約】【課題】  ある画像データ方式で保存されているファクシミリ送信済み画像の画像データをラスタライズする機能を有さなくても、ファクシミリ送信済みの画像を印刷する際に要求される記憶領域が狭くて済むようにする。【解決手段】  画像変換部３２は、ＪＢＩＧ方式の画像データを部分ごとに順番にファクシミリ装置１からロードしてＴＩＦＦバンドデータ４１に変換し、そのＴＩＦＦバンドデータ４１をメモリー３に書き込む。印字データ生成部３３は、メモリー３からＴＩＦＦバンドデータ４１を読み出し、読み出したＴＩＦＦバンドデータ４１から印字データ４２を生成し、印字データ４２を生成した後に、ＴＩＦＦデータをメモリー３から消去する。そして、印刷処理部３４は、１ページ分の印字データ４２に基づいてファクシミリ送信済みページの画像を印刷装置４で印刷する。【選択図】  図１
2012095130.tif 000002
【特許請求の範囲】
【請求項１】
記憶手段と、
印刷装置と、
ファクシミリ送信済みページの画像を第１画像データ方式の画像データとして記憶するファクシミリ装置と、
前記第１画像データ方式の画像データを部分ごとに順番に前記ファクシミリ装置からロードして別の第２画像データ方式へ変換し、その変換により得られる部分画像データを順番に前記記憶手段に書き込む画像変換部と、
前記記憶手段から前記部分画像データを読み出し、読み出した前記部分画像データから印字データを生成し、前記印字データを生成した後に、前記部分画像データを前記記憶手段から消去する印字データ生成部と、
前記１ページ分の前記印字データに基づいてファクシミリ送信済みページの画像を前記印刷装置で印刷する印刷処理部と、  
を備えることを特徴とする画像形成装置。
【請求項２】
前記画像変換部は、前記第１画像データ方式の画像データをバンドごとに順番に前記ファクシミリ装置からロードして前記第２画像データ方式へ変換し、その変換により得られるバンド画像データを順番に前記記憶手段に書き込み、
前記印字データ生成部は、前記記憶手段から前記バンド画像データを読み出し、読み出した前記バンド画像データから印字データを生成し、前記印字データを生成した後に、前記バンド画像データを前記記憶手段から消去すること、
を特徴とする請求項１記載の画像形成装置。
【請求項３】
前記画像変換部は、前記部分画像データを前記記憶手段に書き込み、書き込んだ前記部分画像データが消去された後に、次の前記部分画像データを前記記憶手段に書き込むことを特徴とする請求項１記載の画像形成装置。
【請求項４】
前記ファクシミリ送信済みページごとにドキュメントＩＤを割り当て、前記画像変換部を第１ジョブで動作させ、前記印刷処理部を第２ジョブで動作させ、前記ドキュメントＩＤを前記画像変換部および前記印刷処理部に通知するジョブ管理部を備え、
前記画像変換部は、前記ドキュメントＩＤに関連付けて前記部分画像データを前記記憶手段に書き込み、
前記印刷処理部は、同一の前記ドキュメントＩＤに関連付けられている前記部分画像データを順番に読み出して、前記１ページ分の前記印字データを生成すること、
を特徴とする請求項１記載の画像形成装置。
【請求項５】
前記印字データ生成部は、前記ファクシミリ送信済みページのログ情報をテキストイメージとして前記１ページ分の印字データに含めることで、ファクシミリ送信結果レポートの印字データを生成することを特徴とする請求項１から請求項４のうちのいずれか１項記載の画像形成装置。
【請求項６】
前記印字データ生成部は、前記第１の画像データ方式の画像データから前記印字データを生成できず、
前記第１の画像データ方式は、ＪＢＩＧ方式であり、
前記第２の画像データ方式は、前記印字データ生成部により前記印字データを生成可能な画像データ方式であること、
を特徴とする請求項１から請求項５のうちのいずれか１項記載の画像形成装置。
【請求項７】
記憶手段と、印刷装置と、ファクシミリ送信済みページの画像を第１画像データ方式の画像データとして記憶するファクシミリ装置とを備える画像形成装置におけるコンピューターを、
前記第１画像データ方式の画像データを部分ごとに順番に前記ファクシミリ装置からロードして別の第２画像データ方式へ変換し、その変換により得られる部分画像データを順番に前記記憶手段に書き込む画像変換部、
前記記憶手段から前記部分画像データを読み出し、読み出した前記部分画像データから印字データを生成し、前記印字データを生成した後に、前記部分画像データを前記記憶手段から消去する印字データ生成部、および
前記１ページ分の前記印字データに基づいてファクシミリ送信済みページの画像を前記印刷装置で印刷する印刷処理部、
として機能させる画像形成プログラム。
【発明の詳細な説明】
【技術分野】
【０００１】
本発明は、画像形成装置および画像形成プログラムに関するものである。
【背景技術】
【０００２】
ファクシミリ機、複合機などいったファクシミリ通信機能を有する画像形成装置には、ファクシミリ送信した画像をＪＢＩＧ（Joint Bi-level Image experts Group）方式の画像データ（以下、ＪＢＩＧデータという）として記憶しておくものがある（例えば特許文献１，２参照）。さらに、記憶しているＪＢＩＧデータを別の画像データ方式に変換する画像形成装置がある（例えば特許文献２参照）。
【０００３】
別の技術として、印刷制御言語で記述された印刷データからディスプレイリストを生成する第１の処理と、そのディスプレイリストをラスタライズする第２の処理を並列に実行する画像形成装置がある（例えば特許文献３参照）。
【先行技術文献】
【特許文献】
【０００４】
【特許文献１】特開平０９−０６９９５２号公報
【特許文献２】特開２００５−２７７６６７号公報
【特許文献３】特開２００７−１５６６１３号公報
【発明の概要】
【発明が解決しようとする課題】
【０００５】
ＪＢＩＧデータをラスタライズする機能を有さない画像形成装置は、ＪＢＩＧデータを、例えば上述の技術（特に特許文献２記載の技術）のように、ＴＩＦＦ（Tagged Image File Format）などラスタライズ可能な画像データ方式に変換し、変換後の画像データをラスタライズにして印字データを生成する。そして、その印字データに基づき、ファクシミリ送信結果レポートなどの印刷が行われる。この場合、ＪＢＩＧデータをＴＩＦＦデータに変換する場合に、１ページ分のＴＩＦＦデータを記憶可能な記憶領域を有するメモリーが必要になってしまう。
【０００６】
本発明は、上記の問題に鑑みてなされたものであり、ある画像データ方式で保存されているファクシミリ送信済み画像の画像データをラスタライズする機能を有さなくても、ファクシミリ送信済みの画像を印刷する際に要求される記憶領域が狭くて済む画像形成装置、および、ファクシミリ送信済み画像の保存画像データ方式の画像データをラスタライズする機能を有さない画像形成装置においてファクシミリ送信済みの画像を印刷する際に要求される記憶領域が狭くて済む画像形成プログラムを得ることを目的とする。
【課題を解決するための手段】
【０００７】
上記の課題を解決するために、本発明では以下のようにした。
【０００８】
本発明に係る画像形成装置は、記憶手段と、印刷装置と、ファクシミリ送信済みページの画像を第１画像データ方式の画像データとして記憶するファクシミリ装置と、第１画像データ方式の画像データを部分ごとに順番にファクシミリ装置からロードして別の第２画像データ方式へ変換し、その変換により得られる部分画像データを順番に記憶手段に書き込む画像変換部と、記憶手段から部分画像データを読み出し、読み出した部分画像データから印字データを生成し、印字データを生成した後に、部分画像データを記憶手段から消去する印字データ生成部と、１ページ分の印字データに基づいてファクシミリ送信済みページの画像を印刷装置で印刷する印刷処理部とを備える。
【０００９】
これにより、画像データ方式を変換して得られた画像データを１ページ分、メモリーなどの記憶手段に保持する必要がないので、第１画像データ方式で保存されているファクシミリ送信済み画像の画像データをラスタライズする機能を有さなくても、ファクシミリ送信済みの画像を印刷する際に要求される記憶領域が狭くて済む。
【００１０】
また、本発明に係る画像形成装置は、上記の画像形成装置に加え、次のようにしてもよい。この場合、画像変換部は、第１画像データ方式の画像データをバンドごとに順番にファクシミリ装置からロードして別の第２画像データ方式へ変換し、その変換により得られるバンド画像データを順番に記憶手段に書き込む。印字データ生成部は、記憶手段からバンド画像データを読み出し、読み出したバンド画像データから印字データを生成し、印字データを生成した後に、バンド画像データを記憶手段から消去する。
【００１１】
また、本発明に係る画像形成装置は、上記の画像形成装置に加え、次のようにしてもよい。この場合、画像変換部は、部分画像データを記憶手段に書き込み、書き込んだ部分画像データが消去された後に、次の部分画像データを記憶手段に書き込む。
【００１２】
これにより、画像データ方式を変換して得られた画像データを１ページ分ではなく１バンド分、記憶手段に保持するだけなので、第１画像データ方式で保存されているファクシミリ送信済み画像の画像データをラスタライズする機能を有さなくても、ファクシミリ送信済みの画像を印刷する際に要求される記憶領域が狭くて済む。
【００１３】
また、本発明に係る画像形成装置は、上記の画像形成装置に加え、次のようにしてもよい。この場合、画像形成装置は、ファクシミリ送信済みページごとにドキュメントＩＤを割り当て、画像変換部を第１ジョブで動作させ、印刷処理部を第２ジョブで動作させ、ドキュメントＩＤを画像変換部および印刷処理部に通知するジョブ管理部を備える。そして、画像変換部は、ドキュメントＩＤに関連付けて部分画像データを記憶手段に書き込み、印刷処理部は、同一のドキュメントＩＤに関連付けられている部分画像データを順番に読み出して、１ページ分の印字データを生成する。
【００１４】
これにより、ファクシミリ送信済みの複数のページにつき印刷を行う場合でも、ドキュメントＩＤにより、画像変換部と印刷処理部との間でページを整合させることができる。
【００１５】
また、本発明に係る画像形成装置は、上記の画像形成装置に加え、次のようにしてもよい。この場合、印字データ生成部は、ファクシミリ送信済みページのログ情報をテキストイメージとして１ページ分の印字データに含めることで、ファクシミリ送信結果レポートの印字データを生成する。
【００１６】
本発明に係る画像形成プログラムは、記憶手段と、印刷装置と、ファクシミリ送信済みページの画像を第１画像データ方式の画像データとして記憶するファクシミリ装置とを備える画像形成装置におけるコンピューターを、（ａ）第１画像データ方式の画像データを部分ごとに順番にファクシミリ装置からロードして別の第２画像データ方式へ変換し、その変換により得られる部分画像データを順番に記憶手段に書き込む画像変換部、（ｂ）記憶手段から部分画像データを読み出し、読み出した部分画像データから印字データを生成し、印字データを生成した後に、部分画像データを記憶手段から消去する印字データ生成部、および（ｃ）１ページ分の印字データに基づいてファクシミリ送信済みページの画像を印刷装置で印刷する印刷処理部として機能させる。
【００１７】
これにより、画像データ方式を変換して得られた画像データを１ページ分、メモリーなどの記憶手段に保持する必要がないので、第１画像データ方式で保存されているファクシミリ送信済み画像の画像データをラスタライズする機能を有さない画像形成装置においてファクシミリ送信済みの画像を印刷する際に要求される記憶領域が狭くて済む。
【発明の効果】
【００１８】
本発明によれば、例えばＪＢＩＧといった第１画像データ方式で保存されているファクシミリ送信済み画像の画像データをラスタライズする機能を有さない画像形成装置においてファクシミリ送信済みの画像を印刷する際に要求される記憶領域が狭くて済む。
【図面の簡単な説明】
【００１９】
【図１】図１は、本発明の実施の形態に係る画像形成装置の構成を示すブロック図である。
【図２】図２は、図１に示す画像形成装置のコントローラーの動作について説明するフローチャートである。
【発明を実施するための形態】
【００２０】
以下、図に基づいて本発明の実施の形態を説明する。
【００２１】
図１は、本発明の実施の形態に係る画像形成装置の構成を示すブロック図である。図１に示す画像形成装置は、ファクシミリ機、複合機などといったファクシミリ送信機能を有する装置である。
【００２２】
図に示す画像形成装置は、ファクシミリ装置１、コントローラー２、メモリー３、および印刷装置４を有する。
【００２３】
ファクシミリ装置１は、モデムなどでファクシミリ信号の送受信を行う装置であって、ファクシミリ送信済みページの画像を第１画像データ方式（ここでは、ＪＢＩＧ方式）の画像データ（ＪＢＩＧデータ１１ａ）として内蔵の記憶装置１１に記憶する。
【００２４】
また、コントローラー２は、演算処理装置２１および記憶装置２２を有する。演算処理装置２１は、ＣＰＵ（Central Processing Unit）、ＲＯＭ（Read Only Memory）、ＲＡＭ（Random Access Memory）などを有するコンピューターであって、記憶装置２２、ＲＯＭなどからＲＡＭへプログラムをロードし、そのプログラムをＣＰＵで実行することにより、各種処理部を実現する。記憶装置２２は、ハードディスクドライブ、フラッシュメモリーなどといった不揮発性の記憶装置であって、演算処理装置２１により実行されるプログラム２２ａが格納されている。なお、プログラム２２ａは、可搬性のある記録媒体に記録しておき、その記録媒体およびその記録媒体からプログラム２２ａを読み出す駆動装置を記憶装置２２としてもよい。
【００２５】
画像形成装置１の起動後に、プログラム２２ａが演算処理装置２１により実行される。この実施の形態では、演算処理装置２１でプログラム２２ａが実行されることにより、ジョブ管理部３１、画像変換部３２、ＲＩＰ部３３、印刷処理部３４などの処理部が実現される。
【００２６】
ジョブ管理部３１は、画像変換部３２、ＲＩＰ部３３、印刷処理部３４などを使用してジョブを実行する。ジョブ管理部３１は、ファクシミリ送信済みページごとにドキュメントＩＤを割り当て、画像変換部３２を第１ジョブで動作させ、ＲＩＰ部３３を第２ジョブで動作させ、ドキュメントＩＤを画像変換部３２およびＲＩＰ部３３に通知する。
【００２７】
画像変換部３２は、ＪＢＩＧデータ１１ａを部分ごとに順番にファクシミリ装置１からロードしてＴＩＦＦ方式へ変換し、その変換により得られるＴＩＦＦバンドデータ４１を順番にメモリー３に書き込む。つまり、画像変換部３２は、ＪＢＩＧデータ１１ａの一部を伸張し、伸張したデータからＴＩＦＦバンドデータ４１を生成する。
【００２８】
ＲＩＰ部３３は、メモリー３からＴＩＦＦバンドデータ４１を読み出し、ラスタライズ、ハーフトーニングなどの画像処理を施すことにより、そのＴＩＦＦバンドデータ４１から印字データ４２を生成してメモリー３に書き込み、その後に、処理したＴＩＦＦバンドデータ４１をメモリー３から消去する。
【００２９】
なお、この実施の形態では、画像変換部３２は、ドキュメントＩＤに関連付けてＴＩＦＦバンドデータ４１をメモリー３に書き込み、ＲＩＰ部３３は、同一のドキュメントＩＤに関連付けられている部分画像データを順番に読み出して、１ページ分の印字データ４２を生成する。
【００３０】
また、この実施の形態では、ＲＩＰ部３３は、ファクシミリ送信済みページのログ情報（送信先、送信日時、送信結果などの情報）をテキストイメージとして１ページ分の印字データ４２に含めることで、ファクシミリ送信結果レポートの印字データを生成する。
【００３１】
印刷処理部３４は、１ページ分の印字データ４２に基づいてファクシミリ送信済みページの画像を印刷装置４で印刷する。
【００３２】
また、メモリー３は、コントローラー２によるデータ処理の中間データなどを記憶するためのＲＡＭなどの記憶装置である。
【００３３】
また、印刷装置４は、印刷処理部３４による制御に従って、画像を印刷用紙に印字する装置である。
【００３４】
次に、上記画像形成装置の動作について説明する。
【００３５】
図２は、図１に示す画像形成装置のコントローラー２の動作について説明するフローチャートである。図２（Ａ）は、ジョブ管理部３１の動作について説明するフローチャートである。図２（Ｂ）は、画像変換部３２の動作について説明するフローチャートである。図２（Ｃ）は、ＲＩＰ部３３の動作について説明するフローチャートである。
【００３６】
例えばユーザー操作などによってファクシミリ送信結果レポートの印刷要求が発生すると、ジョブ管理部３１は、まず、第１ジョブで画像変換部３２を起動し（ステップＳ１）、第２ジョブでＲＩＰ部３３を起動する（ステップＳ２）。これにより、画像変換部３２とＲＩＰ部３３は、並行して動作する。第１ジョブおよび第２ジョブを生成する際に、ジョブ管理部３１は、ファクシミリ送信結果レポートとして印刷するページに固有のドキュメントＩＤを生成し、そのドキュメントＩＤを画像変換部３２とＲＩＰ部３３に通知する。
【００３７】
起動した画像変換部３２は、ファクシミリ装置１の記憶装置１１から１ページ分のＪＢＩＧデータ１１ａのうちの最初のバンド画像データをロードして（ステップＳ１１）、ＴＩＦＦバンドデータ４１へ変換し（ステップＳ１２）、そのＴＩＦＦバンドデータ４１をドキュメントＩＤに関連づけてメモリー３に書き込む（ステップＳ１３）。その際、ドキュメントＩＤに対して割り当てられた記憶領域に、ＴＩＦＦバンドデータ４１を書き込むようにしてもよいし、ドキュメントＩＤをＴＩＦＦバンドデータ４１に付加してメモリー３に書き込むようにしてもよい。そして、そのＴＩＦＦバンドデータ４１がＲＩＰ部３３により消去されると（ステップＳ１４）、画像変換部３２は、次のバンド画像データについて同様にステップＳ１１〜Ｓ１３の処理を実行する。このように、画像変換部３２は、最後のバンド画像データまで順番に、１バンドずつ、バンド画像データごとにステップＳ１１〜Ｓ１３の処理を実行する。なお、バンド画像データは、所定の複数ライン分の画像データである。
【００３８】
一方、起動したＲＩＰ部３３は、通知されたドキュメントＩＤのＴＩＦＦバンドデータ４１がメモリー３に書き込まれたか否かを監視し（ステップＳ２１）、そのＴＩＦＦバンドデータ４１がメモリー３に書き込まれると、そのＴＩＦＦバンドデータ４１をロードして（ステップＳ２２）、ＴＩＦＦバンドデータ４１から１バンド分の印字データ４２を生成し（ステップＳ２３）、ドキュメントＩＤごとに分類してその印字データ４２をメモリー３に書き込む（ステップＳ２４）。その後、ＲＩＰ部３３は、そのＴＩＦＦバンドデータ４１をメモリー３から消去し（ステップＳ２５）、通知されたドキュメントＩＤの、次のＴＩＦＦバンドデータ４２がメモリー３に書き込まれるまで、メモリー３を監視する。したがって、ＴＩＦＦバンドデータ４１から１バンド分の印字データ４２が生成され、同一ドキュメントＩＤのＴＩＦＦバンドデータ４１から生成された印字データ４２が連結されて１ページ分の印字データ４２が生成される。
【００３９】
なお、ＲＩＰ部３３は、ファクシミリ送信済みページのログ情報（送信先、送信日時、送信結果などの情報）をテキストイメージとして１ページ分の印字データ４２に含める。例えば、１ページの先頭部分にログ情報のテキストイメージを含める場合には、ＲＩＰ部３３は、そのテキストイメージから印字データ４２を生成し、その後に、最初のＴＩＦＦバンドデータ４１から印字データ４２を生成する。
【００４０】
このようにして、１ページ分の印字データ４２が生成されると、ジョブ管理部３１は、１ページ分の印字データ４２の生成が完了したことを検出し（ステップＳ３）、第３ジョブで印刷処理部３４を起動する（ステップＳ４）。印刷処理部３４は、その１ページ分の印字データ４２に基づいて印刷装置４を制御して、ファクシミリ送信結果レポートを印刷させる。
【００４１】
以上のように、上記実施の形態によれば、ファクシミリ装置１は、ファクシミリ送信済みページの画像をＪＢＩＧ方式の画像データとして記憶する。画像変換部３２は、ＪＢＩＧ方式の画像データを部分ごとに順番にファクシミリ装置１からロードしてＴＩＦＦ方式へ変換し、その変換により得られるＴＩＦＦバンドデータ４１を順番にメモリー３に書き込む。印字データ生成部３３は、メモリー３からＴＩＦＦバンドデータ４１を読み出し、読み出したＴＩＦＦバンドデータ４１から印字データ４２を生成し、印字データ４２を生成した後に、ＴＩＦＦデータをメモリー３から消去する。そして、印刷処理部３４は、１ページ分の印字データ４２に基づいてファクシミリ送信済みページの画像を印刷装置４で印刷する。
【００４２】
これにより、画像データ方式を変換して得られた画像データを１ページ分、メモリー３に保持する必要がないので、ＪＢＩＧ方式で保存されているファクシミリ送信済み画像の画像データをラスタライズする機能を有さなくても、ファクシミリ送信済みの画像を印刷する際に要求されるメモリー３の記憶領域が狭くて済む。
【００４３】
なお、上述の実施の形態は、本発明の好適な例であるが、本発明は、これらに限定されるものではなく、本発明の要旨を逸脱しない範囲において、種々の変形、変更が可能である。
【００４４】
例えば、上記実施の形態では、ＪＢＩＧデータ１１ａをバンドごとにロードし処理しているが、その他の方法でＪＢＩＧデータ１１ａを分割した部分ごとにロードするようにしてもよい。
【００４５】
また、上記実施の形態において、ファクシミリ装置１は、ＪＢＩＧ方式の画像データとして、ファクシミリ送信済みのページ画像を保存しているが、その代わりに、その他の画像データ方式の画像データとして保存するようにしてもよい。
【００４６】
また、上記実施の形態において、画像変換部３２は、ＪＢＩＧデータ１１ａをＴＩＦＦ方式の画像データに変換しているが、その代わりに、ＴＩＦＦ方式以外の画像データ方式（ただし、ＲＩＰ部３３が処理可能な画像データ方式）の画像データに変換するようにしてもよい。
【産業上の利用可能性】
【００４７】
本発明は、例えば、画像形成装置に適用可能である。
【符号の説明】
【００４８】
１  ファクシミリ装置
３  メモリー（記憶手段の一例）
４  印刷装置
２１  演算処理装置（コンピューターの一例）
２２ａ  プログラム（画像形成プログラムの一例）
３１  ジョブ管理部
３２  画像変換部
３３  ＲＩＰ部（印字データ生成部の一例）
３４  印刷処理部
４１  ＴＩＦＦバンドデータ（部分画像データの一例）
４２  印字データ
【図１】
2012095130.tif 000003
【図２】
2012095130.tif 000004